(57)【要約】      （修正有）【課題】機体内に再投入された有価媒体を二重に計数することを防止することができるため違算の発生を防止することができる有価媒体処理装置および有価媒体処理方法を提供する。【解決手段】有価媒体処理装置１０は、投入部（例えば、紙葉類投入部）により機体内に投入された有価媒体の識別を行い、この際に有価媒体の識別番号を取得する識別部（例えば、紙葉類識別部２６）と、記憶部８４と、投入部により機体内に投入され、識別部により識別が行われた有価媒体について、識別部により取得された当該有価媒体の識別番号を記憶部８４に記憶させる制御部８０を備えている。制御部８０は、投入部により機体内に投入されて識別部により識別が行われた有価媒体の識別番号と、記憶部８４に記憶された有価媒体の識別番号との照合を行う。【選択図】図３
2015153335.tif 000002
【特許請求の範囲】
【請求項１】
機体内に有価媒体を投入するための投入部と、
前記投入部により機体内に投入された有価媒体の識別を行い、この際に有価媒体の識別番号を取得する識別部と、
記憶部と、
前記投入部により機体内に投入され、前記識別部により識別が行われた有価媒体について、前記識別部により取得された当該有価媒体の識別番号を前記記憶部に記憶させる制御部と、
を備え、
前記制御部は、前記投入部により機体内に投入されて前記識別部により識別が行われた有価媒体の識別番号と、前記記憶部に記憶された有価媒体の識別番号との照合を行う、有価媒体処理装置。
【請求項２】
前記制御部は、前記投入部により機体内に投入され、前記識別部により識別が行われた有価媒体について入金確定の指令が与えられたときに、前記識別部により取得された有価媒体の識別番号を前記記憶部に記憶させる、請求項１記載の有価媒体処理装置。
【請求項３】
前記制御部は、前記投入部により機体内に投入された有価媒体が前記識別部により識別されたときに、当該有価媒体における前記識別部により取得された識別番号を前記記憶部に記憶させる、請求項１記載の有価媒体処理装置。
【請求項４】
操作者に対して報知を行うための報知部を更に備え、
前記制御部は、前記識別部により取得された有価媒体の識別番号が、前記記憶部に記憶された有価媒体の識別番号に含まれる場合には、前記報知部により操作者に対して報知する、請求項１乃至３のいずれか一項に記載の有価媒体処理装置。
【請求項５】
前記制御部は、前記識別部により取得された有価媒体の識別番号が、前記記憶部に記憶された有価媒体の識別番号に含まれる場合には、前記投入部により機体内に投入された有価媒体を機体外に返却可能とする、請求項１乃至４のいずれか一項に記載の有価媒体処理装置。
【請求項６】
前記制御部は、前記識別部により取得された有価媒体の識別番号が、前記記憶部に記憶された有価媒体の識別番号に含まれる場合には、前記投入部により機体内に投入された有価媒体について返却指令が与えられたときに、当該有価媒体を機体外に返却する、請求項５記載の有価媒体処理装置。
【請求項７】
前記制御部は、前記識別部により取得された有価媒体の識別番号が、前記記憶部に記憶された有価媒体の識別番号に含まれる場合に、前記投入部により機体内に投入された有価媒体を機体内に収納する旨の指令が与えられたときには、当該有価媒体を機体内に収納させる、請求項１乃至６のいずれか一項に記載の有価媒体処理装置。
【請求項８】
前記制御部は、前記識別部により取得された有価媒体の識別番号が、前記記憶部に記憶された有価媒体の識別番号に含まれる場合に、当該有価媒体を前記識別部により計数することなく機体内に収納させ、また、前記識別部により取得された有価媒体の識別番号が、前記記憶部に記憶された有価媒体の識別番号に含まれない場合に、当該有価媒体を前記識別部により計数した後に機体内に収納させる、請求項１乃至３のいずれか一項に記載の有価媒体処理装置。
【請求項９】
前記有価媒体処理装置により処理される有価媒体は紙幣、硬貨、商品券のうち少なくとも一つのものを含む、請求項１乃至８のいずれか一項に記載の有価媒体処理装置。
【請求項１０】
前記有価媒体処理装置により処理される有価媒体が紙幣である場合、有価媒体の識別番号は紙幣の記番号である、請求項９記載の有価媒体処理装置。
【請求項１１】
前記有価媒体処理装置により処理される有価媒体が商品券である場合、有価媒体の識別番号は商品券の券番号である、請求項９記載の有価媒体処理装置。
【請求項１２】
前記有価媒体処理装置により処理される有価媒体が商品券である場合において、同一の券番号が複数の商品券に付された綴り券に関する情報が前記記憶部に予め記憶されており、
前記制御部は、前記投入部により機体内に投入された商品券が前記識別部により識別されたときに、前記記憶部に記憶された綴り券に関する情報に基づいて、識別された商品券が綴り券であると判定された場合には、当該識別部により取得された商品券の券番号と、前記記憶部に記憶された商品券の券番号との照合を行わない、請求項１１記載の有価媒体処理装置。
【請求項１３】
操作者に対して報知を行うための報知部を更に備え、
前記記憶部には、綴り券における商品券の枚数に関する情報も予め記憶されており、
前記制御部は、前記投入部により機体内に投入された商品券が前記識別部により識別されたときに、前記記憶部に記憶された綴り券に関する情報に基づいて、識別された商品券が綴り券であると判定された場合でも、前記記憶部に記憶された商品券の枚数を超える枚数の商品券が機体内に投入されたときには、前記報知部により操作者に対して報知する、請求項１２記載の有価媒体処理装置。
【請求項１４】
機体内に有価媒体を投入するための投入部と、前記投入部により機体内に投入された有価媒体の識別を行い、この際に有価媒体の識別番号を取得する識別部と、記憶部と、を備えた有価媒体処理装置における有価媒体処理方法であって、
前記投入部により機体内に投入され、前記識別部により識別が行われた有価媒体について、前記識別部により取得された当該有価媒体の識別番号を前記記憶部に記憶させる工程と、
前記投入部により機体内に投入されて前記識別部により識別が行われた有価媒体の識別番号と、前記記憶部に記憶された有価媒体の識別番号との照合を行う工程と、
を備えた、有価媒体処理方法。
【請求項１５】
有価媒体の識別番号を前記記憶部に記憶させる工程において、前記投入部により機体内に投入され、前記識別部により識別が行われた有価媒体について入金確定の指令が与えられたときに、前記識別部により取得された有価媒体の識別番号を前記記憶部に記憶させる、請求項１４記載の有価媒体処理方法。
【請求項１６】
有価媒体の識別番号を前記記憶部に記憶させる工程において、前記投入部により機体内に投入された有価媒体が前記識別部により識別されたときに、当該有価媒体における前記識別部により取得された識別番号を前記記憶部に記憶させる、請求項１４記載の有価媒体処理方法。
【発明の詳細な説明】
【技術分野】
【０００１】
本発明は、紙幣、硬貨、商品券等の有価媒体の処理を行う有価媒体処理装置および有価媒体処理方法に関する。
【背景技術】
【０００２】
従来から、店舗等において売上金等の貨幣の入金処理を行う貨幣処理機として、例えば特許文献１等に開示される貨幣処理装置が知られている。特許文献１に開示される貨幣処理装置では、貨幣収納部において２つの紙幣収納カセットおよび２つの硬貨収納カセットがそれぞれ設けられており、当該貨幣処理装置に売上金として入金された紙幣や硬貨は各収納カセットに収納されるようになっている。そして、各収納カセットに収納された紙幣や硬貨は、収納カセットごと警送会社の収集担当者により回収されるようになっている。
【先行技術文献】
【特許文献】
【０００３】
【特許文献１】特開２０１０−２２４６０９号公報
【発明の概要】
【発明が解決しようとする課題】
【０００４】
特許文献１等に開示されるような従来の貨幣処理装置では、貨幣の入金処理を行う際に機体内でジャム（詰まり）等のトラブルが生じた場合には、操作者は貨幣処理装置の前面扉等を開いて機体内にある紙幣や硬貨を取り出す。そして、操作者は、貨幣処理装置のエラー解除動作を行った後に、機体内から取り出された紙幣や硬貨を投入部により機体内に再投入する。しかしながら、機体内から取り出された紙幣や硬貨が既に入金確定済のものである場合には、これらの紙幣や硬貨は貨幣処理装置において二重に計数されてしまい、違算が発生するおそれがある。
【０００５】
一方、貨幣の入金処理を行う際に貨幣処理装置の機体内でジャム（詰まり）等のトラブルが生じたときに、入金確定が行われていない紙幣や硬貨を貨幣処理装置の機体内から取り出した際に、操作者がこれらの紙幣や硬貨を投入部により機体内に再投入しない場合には、本来ならば貨幣処理装置において計数されなければならない紙幣や硬貨の計数が行われないようになるため、この場合でも違算が発生するおそれがある。
【０００６】
本発明は、このような点を考慮してなされたものであり、機体内に再投入された有価媒体を二重に計数することを防止することができるため違算の発生を防止することができる有価媒体処理装置および有価媒体処理方法を提供することを目的とする。
【課題を解決するための手段】
【０００７】
本発明の有価媒体処理装置は、機体内に有価媒体を投入するための投入部と、前記投入部により機体内に投入された有価媒体の識別を行い、この際に有価媒体の識別番号を取得する識別部と、記憶部と、前記投入部により機体内に投入され、前記識別部により識別が行われた有価媒体について、前記識別部により取得された当該有価媒体の識別番号を前記記憶部に記憶させる制御部と、を備え、前記制御部は、前記投入部により機体内に投入されて前記識別部により識別が行われた有価媒体の識別番号と、前記記憶部に記憶された有価媒体の識別番号との照合を行うことを特徴とする。
【０００８】
このような有価媒体処理装置によれば、エラー解除動作を行った後等において、機体内から取り出された有価媒体が投入部により機体内に再投入された際に、識別部により取得された有価媒体の識別番号と、記憶部に記憶された有価媒体の識別番号との照合が行われることにより、エラー解除動作時等に機体内から取り出された有価媒体が既に入金確定済のものであるにもかかわらず投入部に再セットされてしまった場合にはこのことを検知することができるので、機体内に再投入された有価媒体を二重に計数することを防止することができ、よって違算の発生を防止することができるようになる。
【０００９】
本発明の有価媒体処理装置においては、前記制御部は、前記投入部により機体内に投入され、前記識別部により識別が行われた有価媒体について入金確定の指令が与えられたときに、前記識別部により取得された有価媒体の識別番号を前記記憶部に記憶させるようになっていてもよい。
【００１０】
あるいは、前記制御部は、前記投入部により機体内に投入された有価媒体が前記識別部により識別されたときに、当該有価媒体における前記識別部により取得された識別番号を前記記憶部に記憶させるようになっていてもよい。
【００１１】
本発明の有価媒体処理装置は、操作者に対して報知を行うための報知部を更に備え、前記制御部は、前記識別部により取得された有価媒体の識別番号が、前記記憶部に記憶された有価媒体の識別番号に含まれる場合には、前記報知部により操作者に対して報知するようになっていてもよい。
【００１２】
本発明の有価媒体処理装置においては、前記制御部は、前記識別部により取得された有価媒体の識別番号が、前記記憶部に記憶された有価媒体の識別番号に含まれる場合には、前記投入部により機体内に投入された有価媒体を機体外に返却可能とするようになっていてもよい。
【００１３】
この場合、前記制御部は、前記識別部により取得された有価媒体の識別番号が、前記記憶部に記憶された有価媒体の識別番号に含まれる場合には、前記投入部により機体内に投入された有価媒体について返却指令が与えられたときに、当該有価媒体を機体外に返却するようになっていてもよい。
【００１４】
本発明の有価媒体処理装置においては、前記制御部は、前記識別部により取得された有価媒体の識別番号が、前記記憶部に記憶された有価媒体の識別番号に含まれる場合に、前記投入部により機体内に投入された有価媒体を機体内に収納する旨の指令が与えられたときには、当該有価媒体を機体内に収納させるようになっていてもよい。
【００１５】
本発明の有価媒体処理装置においては、前記制御部は、前記識別部により取得された有価媒体の識別番号が、前記記憶部に記憶された有価媒体の識別番号に含まれる場合に、当該有価媒体を前記識別部により計数することなく機体内に収納させ、また、前記識別部により取得された有価媒体の識別番号が、前記記憶部に記憶された有価媒体の識別番号に含まれない場合に、当該有価媒体を前記識別部により計数した後に機体内に収納させるようになっていてもよい。
【００１６】
前記有価媒体処理装置により処理される有価媒体は紙幣、硬貨、商品券のうち少なくとも一つのものを含んでいてもよい。
【００１７】
ここで、前記有価媒体処理装置により処理される有価媒体が紙幣である場合、有価媒体の識別番号は紙幣の記番号であってもよい。
【００１８】
また、前記有価媒体処理装置により処理される有価媒体が商品券である場合、有価媒体の識別番号は商品券の券番号であってもよい。
【００１９】
また、前記有価媒体処理装置により処理される有価媒体が商品券である場合において、同一の券番号が複数の商品券に付された綴り券に関する情報が前記記憶部に予め記憶されており、前記制御部は、前記投入部により機体内に投入された商品券が前記識別部により識別されたときに、前記記憶部に記憶された綴り券に関する情報に基づいて、識別された商品券が綴り券であると判定された場合には、当該識別部により取得された商品券の券番号と、前記記憶部に記憶された商品券の券番号との照合を行わないようになっていてもよい。
【００２０】
この場合、本発明の有価媒体処理装置は、操作者に対して報知を行うための報知部を更に備え、前記記憶部には、綴り券における商品券の枚数に関する情報も予め記憶されており、前記制御部は、前記投入部により機体内に投入された商品券が前記識別部により識別されたときに、前記記憶部に記憶された綴り券に関する情報に基づいて、識別された商品券が綴り券であると判定された場合でも、前記記憶部に記憶された商品券の枚数を超える枚数の商品券が機体内に投入されたときには、前記報知部により操作者に対して報知するようになっていてもよい。
【００２１】
本発明の有価媒体処理方法は、機体内に有価媒体を投入するための投入部と、前記投入部により機体内に投入された有価媒体の識別を行い、この際に有価媒体の識別番号を取得する識別部と、記憶部と、を備えた有価媒体処理装置における有価媒体処理方法であって、前記投入部により機体内に投入され、前記識別部により識別が行われた有価媒体について、前記識別部により取得された当該有価媒体の識別番号を前記記憶部に記憶させる工程と、前記投入部により機体内に投入されて前記識別部により識別が行われた有価媒体の識別番号と、前記記憶部に記憶された有価媒体の識別番号との照合を行う工程と、を備えたことを特徴とする。
【００２２】
このような有価媒体処理方法によれば、エラー解除動作を行った後等において、機体内から取り出された有価媒体が投入部により機体内に再投入された際に、識別部により取得された有価媒体の識別番号と、記憶部に記憶された有価媒体の識別番号との照合が行われることにより、エラー解除動作時等に機体内から取り出された有価媒体が既に入金確定済のものであるにもかかわらず投入部に再セットされてしまった場合にはこのことを検知することができるので、機体内に再投入された有価媒体を二重に計数することを防止することができ、よって違算の発生を防止することができるようになる。
【００２３】
本発明の有価媒体処理方法においては、有価媒体の識別番号を前記記憶部に記憶させる工程において、前記投入部により機体内に投入され、前記識別部により識別が行われた有価媒体について入金確定の指令が与えられたときに、前記識別部により取得された有価媒体の識別番号を前記記憶部に記憶させるようになっていてもよい。
【００２４】
あるいは、有価媒体の識別番号を前記記憶部に記憶させる工程において、前記投入部により機体内に投入された有価媒体が前記識別部により識別されたときに、当該有価媒体における前記識別部により取得された識別番号を前記記憶部に記憶させるようになっていてもよい。
【発明の効果】
【００２５】
本発明の有価媒体処理装置および有価媒体処理方法によれば、機体内に再投入された有価媒体を二重に計数することを防止することができるため違算の発生を防止することができる。
【図面の簡単な説明】
【００２６】
【図１】本発明の実施の形態における有価媒体処理装置の外観を示す斜視図である。
【図２】図１に示す有価媒体処理装置の内部構成を模式的に示す構成図である。
【図３】図１等に示す有価媒体処理装置の機能ブロック図である。
【図４】（ａ）〜（ｃ）は、図１等に示す有価媒体処理装置の操作表示部における表示内容を示す図である。
【図５】図１等に示す有価媒体処理装置の紙葉類処理機構による紙幣や商品券の入金方法を示すフローチャートである。
【図６】図１等に示す有価媒体処理装置の紙葉類処理機構による紙幣や商品券の入金処理においてエラーが発生したときの対応方法を示すフローチャートである。
【図７】本発明の実施の形態による有価媒体処理装置を備えたシステムの構成の一例を示す概略構成図である。
【図８】本発明の実施の形態による有価媒体処理装置を備えたシステムの構成の他の例を示す概略構成図である。
【発明を実施するための形態】
【００２７】
以下、図面を参照して本発明の実施の形態について説明する。図１乃至図６は、本実施の形態による有価媒体処理装置を示す図である。このうち、図１は、本実施の形態における有価媒体処理装置の外観を示す斜視図であり、図２は、図１に示す有価媒体処理装置の内部構成を模式的に示す構成図である。また、図３は、図１等に示す有価媒体処理装置の機能ブロック図である。また、図４は（ａ）〜（ｃ）は、図１等に示す有価媒体処理装置の操作表示部における表示内容を示す図である。また、図５は、図１等に示す有価媒体処理装置の紙葉類処理機構による紙幣や商品券の入金方法を示すフローチャートであり、図６は、図１等に示す有価媒体処理装置の紙葉類処理機構による紙幣や商品券の入金処理においてエラーが発生したときの対応方法を示すフローチャートである。
【００２８】
コンビニエンスストアやスーパーマーケット等の商業施設の店舗において、顧客が立ち入ることができるフロント領域には様々な商品が陳列された商品棚が設置されているとともに、このフロント領域の精算所にはレジ釣銭機が設置されている。顧客がこのような精算所で精算処理を行う際に、店員は、顧客から受け取った商品の代金としての貨幣や商品券をレジ釣銭機に入金したり、釣銭としての貨幣をレジ釣銭機から出金して顧客に返却したりするようになっている。また、このような店舗における顧客の立ち入りが禁止されたバックヤード領域（具体的には、例えば入金室）には、レジ釣銭機から回収された売上金としての貨幣を入金したり、レジ釣銭機用の釣銭準備金としての貨幣を出金したりする売上入金機が設置されている。また、このような売上入金機がショッピングセンターに設置される場合には、フロント領域の精算所に設置されたレジ釣銭機から回収された売上金としての貨幣に加えて、ショッピングセンター内の各テナントから持ち込まれた売上金としての貨幣が当該売上入金機に入金されるようになる。売上入金機に入金された売上金としての貨幣は、警送会社の収集担当者により回収されて当該警送会社の管理センターに運搬されるようになっている。本実施の形態では、このような売上入金機として、紙幣、硬貨、商品券等を含む有価媒体の処理を一つの装置で行うような有価媒体処理装置１０が用いられるようになっている。このような有価媒体処理装置１０の構成の概略について図１および図２を用いて説明する。
【００２９】
まず、本実施の形態による有価媒体処理装置１０により処理される商品券の種類について説明する。商品券の種類としては、有価媒体処理装置１０が設置された店舗等により発行され、この店舗内で処理される自店精算券、および有価媒体処理装置１０から警送会社の収集担当者により回収されて商品券の発行会社の管理センターに運搬され、この管理センターで処理される他店精算券がある。自店精算券には、商品券から読み取ったデータのみを商品券の発行会社の管理センターに送信し、商品券の現物自体は店舗内で処分されるようなデータ請求券も含まれる。一方、他店精算券には、商品券から読み取ったデータを商品券の発行会社の管理センターに送信するが、商品券の現物自体も管理センターに運搬されてこの管理センターで処分されるような現物請求券も含まれる。また、商品券の更に他の種類としては、有価媒体処理装置１０の紙葉類識別部２６（後述）により識別できたが、商品券の有効期限が切れた期限切れ券や発行元の倒産等により店舗内で取り扱いを行うことができない取扱い不可券、有価媒体処理装置１０の記憶部８４（後述）で辞書登録されていない取扱い不可券、ならびに有価媒体処理装置１０の紙葉類識別部２６（後述）により識別することができない識別不可能券等がある。
【００３０】
図１および図２に示すように、本実施の形態による有価媒体処理装置１０は略直方体形状の筐体１２を有しており、この筐体１２内には、紙幣や商品券等の紙葉類の処理を行う紙葉類処理機構２０および硬貨の処理を行う硬貨処理機構５０がそれぞれ設けられている。また、図１に示すように、有価媒体処理装置１０を正面から見て右側部分には上方から順に紙葉類投入部２２、リジェクト部３０、および紙葉類集積部３２（後述）の前面開口を開閉するためのシャッタ３３がそれぞれ配設されている。また、有価媒体処理装置１０を正面から見て左側部分には硬貨投入部５２が配設されている。また、有価媒体処理装置１０の上側部分には例えばタッチパネル等からなる操作表示部８２が配設されている。また、有価媒体処理装置１０の前面下部には下部扉１４が設けられており、この下部扉１４を開くことにより、筐体１２内に収容された紙葉類収納カセット３８、４０（後述）や硬貨収納カセット６８、７０（後述）を筐体１２の外部に引き出すことができるようになっている。
【００３１】
次に、このような有価媒体処理装置１０における紙葉類処理機構２０および硬貨処理機構５０の構成の詳細についてそれぞれ図２を用いて以下に説明する。なお、図２においては、紙葉類処理機構２０の構成と硬貨処理機構５０の構成とを１枚の図面に表示するため、両処理機構が前後に位置するように模式的に示されている。図２に示すように、紙葉類処理機構２０において、紙葉類投入部２２には紙葉類繰出部２３が設けられており、この紙葉類投入部２２に積層状態で投入された紙幣や商品券等の紙葉類は紙葉類繰出部２３により１枚ずつ有価媒体処理装置１０の筐体１２内に繰り出されるようになっている。また、紙葉類投入部２２には紙葉類搬送部２４が接続されており、紙葉類繰出部２３により紙葉類投入部２２から繰り出された紙幣や商品券等の紙葉類は紙葉類搬送部２４により１枚ずつ搬送されるようになっている。また、紙葉類搬送部２４には紙葉類識別部２６が介設されており、紙葉類搬送部２４により搬送される紙幣や商品券等の紙葉類は紙葉類識別部２６によりその種類や金種等について識別が行われるようになっている。より詳細には、紙葉類識別部２６には撮像部としてイメージセンサ２７が設けられており、このイメージセンサ２７により紙幣や商品券等の紙葉類の表面が撮像されてその画像データが取得されるようになっている。また、紙葉類識別部２６は、イメージセンサ２７により取得された紙幣や商品券の画像データに基づいて、紙幣の記番号や商品券の券番号（以下、これらをまとめて有価媒体の識別番号ともいう）を取得するようになっている。
【００３２】
また、紙葉類搬送部２４における紙葉類識別部２６よりも下流側には消し込み部２８が設けられている。消し込み部２８は例えばインクジェットプリンタ等からなり、紙葉類識別部２６により識別が行われた紙葉類が商品券である場合には、このような商品券の表面に対して消し込み部２８により「済」印等の所定の内容が印字されるようになっている。このことにより、有価媒体処理装置１０の筐体１２内に投入されて紙葉類識別部２６により識別が行われた商品券について、所定の内容が印字されることにより、操作者はこのような商品券が紙葉類処理機構２０で処理済のものであることを視認することができるようになる。なお、消し込み部２８により商品券に印字される内容や位置は任意に設定することができるようになっている。また、商品券の種類に応じて、消し込み部２８による印字を行うか否かの設定を行うことができるようになっている。
【００３３】
また、図２に示すように、紙葉類搬送部２４にはリジェクト部３０が接続されており、紙葉類識別部２６により識別された紙葉類のうち、正常な紙幣ではないと識別された紙幣や予め設定された所定の種類のものではない商品券がリジェクト券として紙葉類搬送部２４からリジェクト部３０に送られてこのリジェクト部３０に集積されるようになっている。リジェクト部３０は有価媒体処理装置１０の筐体１２の外部から操作者がアクセス可能となっており、リジェクト部３０に集積されたリジェクト券は操作者により筐体１２の外部に取り出されるようになっている。
【００３４】
また、図２に示すように、紙葉類搬送部２４には紙葉類集積部３２が接続されており、紙葉類識別部２６により識別された紙葉類のうち予め設定された所定の種類の紙葉類が紙葉類搬送部２４から紙葉類集積部３２に送られてこの紙葉類集積部３２に集積されるようになっている。図１および図２に示すように、紙葉類集積部３２には、この紙葉類集積部３２の前面開口の開閉を行うシャッタ３３が設けられており、このシャッタ３３を開くことにより、操作者は紙葉類集積部３２に集積された紙葉類を有価媒体処理装置１０の筐体１２の外部に取り出すことができるようになっている。このようなシャッタ３３の開閉は後述する制御部８０により制御されるようになっている。なお、紙葉類集積部３２の前面開口にシャッタ３３を設置することを省略することもでき、この場合には、紙葉類集積部３２は有価媒体処理装置１０の筐体１２の外部から操作者がいつでもアクセス可能となる。
【００３５】
また、図２に示すように、紙葉類搬送部２４には第１の紙葉類一時保留部３４および第２の紙葉類一時保留部３６がそれぞれ接続されており、紙葉類識別部２６により識別された紙葉類のうち予め設定された所定の種類の紙葉類が紙葉類搬送部２４から第１の紙葉類一時保留部３４や第２の紙葉類一時保留部３６に送られてこれらの第１の紙葉類一時保留部３４や第２の紙葉類一時保留部３６に一時的に保留されるようになっている。また、第１の紙葉類一時保留部３４の下方には第１の紙葉類収納カセット３８が設けられているとともに、第２の紙葉類一時保留部３６の下方には第２の紙葉類収納カセット４０が設けられている。そして、第１の紙葉類一時保留部３４や第２の紙葉類一時保留部３６に紙葉類が一時的に保留された後、有価媒体処理装置１０の制御部８０（後述）に対して操作表示部８２（後述）により入金確定の指令が与えられると、第１の紙葉類一時保留部３４や第２の紙葉類一時保留部３６の底面が開放されてこれらの第１の紙葉類一時保留部３４や第２の紙葉類一時保留部３６に一時的に保留されている紙葉類が第１の紙葉類収納カセット３８や第２の紙葉類収納カセット４０に収納されるようになっている。これらの第１の紙葉類収納カセット３８や第２の紙葉類収納カセット４０は、有価媒体処理装置１０の筐体１２から取り外し可能となっており、第１の紙葉類収納カセット３８や第２の紙葉類収納カセット４０を筐体１２から取り外すことによりこれらの第１の紙葉類収納カセット３８や第２の紙葉類収納カセット４０に収納されている紙葉類を取り出すことができるようになっている。
【００３６】
また、第１の紙葉類一時保留部３４や第２の紙葉類一時保留部３６に紙葉類が一時的に保留された後、有価媒体処理装置１０の制御部８０（後述）に対して操作表示部８２（後述）により返却指令が与えられると、第１の紙葉類一時保留部３４や第２の紙葉類一時保留部３６に一時的に保留された紙葉類が有価媒体処理装置１０の筐体１２の外部に返却されるようになっている。ここで、第１の紙葉類一時保留部３４や第２の紙葉類一時保留部３６は、第１の紙葉類収納カセット３８や第２の紙葉類収納カセット４０から独立して有価媒体処理装置１０の筐体１２から手前側に引き出し可能となっている。具体的には、図１に示すように、有価媒体処理装置１０の前面において下部扉１４の右上箇所に一時保留部用扉１６が設けられており、第１の紙葉類一時保留部３４内の保留紙幣を回収する際には、この一時保留部用扉１６を開くことで第１の紙葉類一時保留部３４内の保留紙幣を取り出すことができるようになっている。一方、第２の紙葉類一時保留部３６内の保留紙幣を回収する際には、この一時保留部用扉１６を開き、第１の紙葉類一時保留部３４および第２の紙葉類一時保留部３６をそれぞれ筐体１２から手前側に引き出すことで第２の紙葉類一時保留部３６の上面から保留紙幣を取り出すことができるようになる。
【００３７】
本実施の形態では、紙葉類処理機構２０における紙葉類を収納する第１の紙葉類収納カセット３８および第２の紙葉類収納カセット４０について、その管理権限（例えば、店舗側の管理権限か警送会社側の管理権限か）や、収納されるべき紙葉類の種類（例えば、紙幣、商品券、あるいは紙幣および商品券の混合）をそれぞれ設定することができるようになっている。
【００３８】
次に、硬貨処理機構５０の構成について以下に説明する。図１および図２に示すように、硬貨処理機構５０には例えばホッパ等からなる硬貨投入部５２が設けられており、この硬貨投入部５２には硬貨搬送部５４が接続されている。ここで、硬貨投入部５２に投入された硬貨は硬貨搬送部５４により一層一列状態で１枚ずつ搬送されるようになっている。また、硬貨搬送部５４には硬貨識別部５６が設けられており、硬貨搬送部５４により搬送される硬貨は硬貨識別部５６によりその真偽や金種等について識別が行われるようになっている。
【００３９】
また、硬貨識別部５６よりも硬貨の搬送方向における下流側において、硬貨搬送部５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部５４により搬送される硬貨が硬貨リジェクト口や各分岐口に選択的に入れられ、硬貨搬送部５４から分岐されるようになっている。
【００４０】
図２に示すように、硬貨搬送部５４における硬貨リジェクト口の下方には硬貨リジェクトシュート５８を介して硬貨リジェクト部６０が設けられている。ここで、硬貨識別部５６により識別された硬貨のうち、正常な硬貨ではないリジェクト硬貨は硬貨リジェクト口により硬貨搬送部５４から分岐されて硬貨リジェクトシュート５８に送られ、この硬貨リジェクトシュート５８により硬貨リジェクト部６０に導かれるようになっている。このような硬貨リジェクト部６０は有価媒体処理装置１０の筐体１２の外部に取り出し可能となっており、操作者は、硬貨リジェクト部６０を筐体１２の外部に取り出した後、この硬貨リジェクト部６０からリジェクト硬貨を取り出すようになっている。
【００４１】
また、硬貨搬送部５４に設けられた２つの分岐口の各々の下方には第１の硬貨搬送シュート６１および第２の硬貨搬送シュート６３を介して第１の硬貨一時保留部６２および第２の硬貨一時保留部６４がそれぞれ設けられており、所定の金種の硬貨がそれぞれ硬貨搬送部５４から分岐口により分岐されて第１の硬貨搬送シュート６１や第２の硬貨搬送シュート６３に送られ、第１の硬貨一時保留部６２や第２の硬貨一時保留部６４に一時的に保留されるようになっている。ここで、第１の硬貨一時保留部６２および第２の硬貨一時保留部６４はそれぞれ、上方および下方が開口された枠体と、この枠体の下方開口を選択的に閉じる底板とを有しており、枠体の下方開口を底板が閉じた状態で、第１の硬貨一時保留部６２や第２の硬貨一時保留部６４に硬貨が一時的に保留されるようになっている。
【００４２】
また、図２に示すように、第１の硬貨一時保留部６２や第２の硬貨一時保留部６４の下方には、硬貨返却箱６６、第１の硬貨収納カセット６８および第２の硬貨収納カセット７０がそれぞれ設けられており、第１の硬貨一時保留部６２や第２の硬貨一時保留部６４に一時的に保留された硬貨は、これらの硬貨返却箱６６、第１の硬貨収納カセット６８および第２の硬貨収納カセット７０のうち何れかに送られるようになっている。ここで、第１の硬貨収納カセット６８には第１の硬貨一時保留部６２に一時的に保留された硬貨が送られるようになっており、また、第２の硬貨収納カセット７０には第２の硬貨一時保留部６４に一時的に保留された硬貨が送られるようになっている。また、硬貨返却箱６６は２つの領域に区分けされている。そして、第１の硬貨一時保留部６２や第２の硬貨一時保留部６４に硬貨が一時的に保留された後、有価媒体処理装置１０の制御部８０（後述）に対して操作表示部８２（後述）により入金確定の指令が与えられると、第１の硬貨一時保留部６２や第２の硬貨一時保留部６４の枠体が水平方向に移動して、この枠体内にある硬貨がそれぞれ第１の硬貨収納カセット６８や第２の硬貨収納カセット７０に収納されるようになる。これらの第１の硬貨収納カセット６８や第２の硬貨収納カセット７０は、有価媒体処理装置１０の筐体１２から取り外し可能となっており、第１の硬貨収納カセット６８や第２の硬貨収納カセット７０を筐体１２から取り外すことによりこれらの第１の硬貨収納カセット６８や第２の硬貨収納カセット７０に収納されている硬貨を取り出すことができるようになっている。
【００４３】
また、第１の硬貨一時保留部６２や第２の硬貨一時保留部６４に硬貨が一時的に保留された後、有価媒体処理装置１０の制御部８０（後述）に対して操作表示部８２（後述）により返却指令が与えられると、第１の硬貨一時保留部６２や第２の硬貨一時保留部６４の底板が水平方向に移動して枠体の下部開口が開くことにより、この枠体内にある硬貨が硬貨返却箱６６に収納される。ここで、前述したように硬貨返却箱６６は２つの領域に区分けされており、第１の硬貨一時保留部６２および第２の硬貨一時保留部６４からそれぞれ送られた硬貨が、２つに区分けされた各領域に収納されるようになる。硬貨返却箱６６は有価媒体処理装置１０の筐体１２から前方に引き出し可能となっており、硬貨返却箱６６を筐体１２から前方に引き出すことにより操作者はこの硬貨返却箱６６から返却硬貨を取り出すことができるようになる。
【００４４】
本実施の形態では、硬貨処理機構５０における硬貨を収納する第１の硬貨収納カセット６８および第２の硬貨収納カセット７０について、紙葉類処理機構２０における紙葉類を収納する第１の紙葉類収納カセット３８および第２の紙葉類収納カセット４０と同様に、その管理権限（例えば、店舗側の管理権限か警送会社側の管理権限か）を設定することができるようになっている。
【００４５】
また、本実施の形態では、紙葉類集積部３２、第１の紙葉類収納カセット３８、第２の紙葉類収納カセット４０、第１の硬貨収納カセット６８および第２の硬貨収納カセット７０からなる各有価媒体収納部へのアクセスが規制部７５（図３参照）により有価媒体収納部毎に規制されるようになっている。より詳細には、紙葉類収納カセット３８、４０や硬貨収納カセット６８、７０については、各収納カセットに対応してカセットロック部（図示せず）が設けられており、これらのカセットロック部により有価媒体処理装置１０の筐体１２内に各収納カセットを選択的にロックして取出不可とするようになっている。そして、このような規制部７５によるロックを解除することにより、有価媒体処理装置１０の筐体１２内から第１の紙葉類収納カセット３８のみを取り出す動作や、有価媒体処理装置１０の筐体１２内から第１の紙葉類収納カセット３８、第２の紙葉類収納カセット４０、第１の硬貨収納カセット６８、第２の硬貨収納カセット７０を一体的に取り出す動作等を選択的に行うことができるようになる。
【００４６】
また、本実施の形態では、上述した規制部７５により紙葉類集積部３２へのアクセスも選択的に規制することができるようになっている。具体的には、規制部７５は、紙葉類集積部３２の前面開口を開閉するためのシャッタ３３の開閉を選択的に規制することにより、当該前面開口をシャッタ３３により閉じた場合には操作者が紙葉類集積部３２から紙葉類を筐体１２の外部に取り出せないようにし、一方、紙葉類集積部３２の前面開口をシャッタ３３が開いた場合には操作者が紙葉類集積部３２から紙葉類を筐体１２の外部に取り出せるようにしている。
【００４７】
また、図３に示すように、本実施の形態の有価媒体処理装置１０では、この有価媒体処理装置１０における各構成要素の制御を行う制御部８０が設けられている。より詳細には、制御部８０には紙葉類処理機構２０、硬貨処理機構５０、規制部７５等がそれぞれ接続されており、この制御部８０から各構成要素に指令信号が送られることにより、これらの各構成要素が制御されるようになっている。なお、紙葉類処理機構２０には紙葉類識別部２６が含まれる。また、前述したように、有価媒体処理装置１０の上側部分には例えばタッチパネル等からなる操作表示部８２が配設されているが、この操作表示部８２も制御部８０に接続されており、このことにより、操作者は操作表示部８２によって制御部８０に対して様々な指令を与えたり、あるいは操作表示部８２における表示内容が制御部８０により制御されたりするようになっている。このような操作表示部８２には、例えば操作ガイダンスや入金処理時の取引データ、あるいは各収納カセット３８、４０、６８、７０や紙葉類集積部３２に収納された貨幣や商品券の在高等のデータが表示されるようになっている。
【００４８】
また、制御部８０には記憶部８４が接続されており、この記憶部８４には、入金処理時の取引データや、各収納カセット３８、４０、６８、７０や紙葉類集積部３２に収納された貨幣や商品券の在高等のデータが記憶されるようになっている。また、記憶部８４には、各収納カセット３８、４０、６８、７０や紙葉類集積部３２と管理権限との関係や、各収納カセット３８、４０、６８、７０や紙葉類集積部３２と有価媒体の種類との関係も、各収納カセット３８、４０、６８、７０や紙葉類集積部３２毎に記憶するようになっている。また、本実施の形態では、制御部８０は、紙葉類投入部２２により筐体１２内に投入され、紙葉類識別部２６により識別が行われた紙幣や商品券等の有価媒体について、当該紙葉類識別部２６においてイメージセンサ２７により取得された有価媒体の画像データに基づいて取得された有価媒体の識別番号（具体的には、紙幣の記番号や商品券の券番号）を記憶部８４に記憶させるようになっている。具体的には、制御部８０は、紙葉類投入部２２により筐体１２内に投入され、紙葉類識別部２６により識別が行われた紙幣や商品券等の有価媒体について操作表示部８２により入金確定の指令が与えられたときに、紙葉類識別部２６により取得された有価媒体の識別番号を記憶部８４に記憶させるようになっている。あるいは、制御部８０は、紙葉類投入部２２により筐体１２内に投入された紙幣や商品券等の有価媒体が紙葉類識別部２６により識別されたときに、紙葉類識別部２６により取得された当該有価媒体の識別番号を記憶部８４に記憶させるようになっていてもよい。紙葉類識別部２６により取得された有価媒体の識別番号を記憶部８４に記憶させる方法の詳細については後述する。
【００４９】
また、制御部８０には、操作者の管理権限を認証するための認証部８６が設けられている。認証部８６は、例えば有価媒体処理装置１０の上側部分における操作表示部８２の右側に配置され、操作者が携帯するＩＣカードの読み取りを行うＩＣカードリーダ８３（図１参照）からなり、このようなＩＣカードリーダ８３で操作者が携帯するＩＣカードの読み取りを行うことによりこの操作者の管理権限が店舗側の管理権限および警送会社側の管理権限のうち何れかを判定するようになっている。なお、認証部８６としては、ＩＣカードリーダ８３の代わりに、操作者が携帯する磁気カードの読み取りを行う磁気カードリーダが用いられてもよい。また、操作者は、ＩＣカードをＩＣカードリーダ８３に読み取らせる代わりに、操作表示部８２や別途設けられたキーボード等（図示せず）により操作者ＩＤやパスワードを入力し、この入力された操作者ＩＤやパスワードに基づいて認証部８６が操作者の管理権限を認証するようになっていてもよい。また、認証部８６は、操作者の指紋や網膜をチェックするような生体認証を行うようになっていてもよい。
【００５０】
また、制御部８０にはプリンタ８８が接続されており、このプリンタ８８により、入金処理時の取引データや、有価媒体処理装置１０の締め処理や回収処理の際における各収納カセット３８、４０、６８、７０や紙葉類集積部３２に収納された貨幣や商品券の在高等のデータ等の印字が行われるようになっている。
【００５１】
また、制御部８０には通信部９０が接続されており、この通信部９０により、有価媒体処理装置１０の制御部８０は上位装置等の外部装置に対して信号の送受信を行うことができるようになっている。具体的には、有価媒体処理装置１０の入金処理時の取引データが通信部９０を介して外部装置に送信されたり、有価媒体処理装置１０の様々な設定情報（例えば、各収納カセット３８、４０、６８、７０や紙葉類集積部３２と管理権限との関係のパターンに関する情報）等が通信部９０により外部装置から受信されたりするようになっている。
【００５２】
また、本実施の形態では、制御部８０は、紙葉類投入部２２により筐体１２内に投入されて紙葉類識別部２６により識別が行われた有価媒体の識別番号と、記憶部８４に記憶された有価媒体の識別番号との照合を行うようになっている。そして、制御部８０は、紙葉類識別部２６により取得された有価媒体の識別番号が、記憶部８４に記憶された有価媒体の識別番号に含まれる場合には、操作表示部８２にエラーメッセージを表示させることにより操作者に対して報知するようになっている。上述した制御部８０による制御内容の詳細については後述する。
【００５３】
また、本実施の形態では、前述したように、紙葉類処理機構２０における紙葉類を収納する第１の紙葉類収納カセット３８、第２の紙葉類収納カセット４０および紙葉類集積部３２について、その管理権限（例えば、店舗側の管理権限か警送会社側の管理権限か）や、収納されるべき紙葉類の種類（例えば、紙幣、商品券、あるいは紙幣および商品券の混合）が予め割り当てられている。また、硬貨処理機構５０における硬貨を収納する第１の硬貨収納カセット６８および第２の硬貨収納カセット７０についても、その管理権限が予め割り当てられている。ここで、各収納カセット３８、４０、６８、７０や紙葉類集積部３２と、管理権限や収納有価媒体の種類との関係は、収納カセット３８、４０、６８、７０や紙葉類集積部３２毎に記憶部８４に予め記憶されるようになっている。そして、操作者が有価媒体処理装置１０から貨幣や商品券を取り出す際に、制御部８０は、記憶部８４に記憶された、収納カセット３８、４０、６８、７０や紙葉類集積部３２と管理権限との関係に基づいて、認証部８６により認証された操作者の管理権限に対応する収納カセット３８、４０、６８、７０や紙葉類集積部３２のみへのアクセスを認容するよう規制部７５を制御するようになっている。より詳細には、認証部８６により認証された操作者の管理権限に対応する収納カセット３８、４０、６８、７０のみを有価媒体処理装置１０の筐体１２から外部に取出可能としたり、認証部８６により認証された操作者の管理権限と紙葉類集積部３２に割り当てられた管理権限とが一致する場合にのみこの紙葉類集積部３２の前面開口をシャッタ３３が開いたりするようになっている。
【００５４】
本実施の形態の有価媒体処理装置１０においてこのような運用がなされる場合には、店舗のフロント領域に設けられたレジ釣銭機に補充されるべき釣銭準備金としての紙幣を第１の紙葉類収納カセット３８に収納させ、その他の貨幣や商品券を警送会社により回収されるべき有価媒体として第２の紙葉類収納カセット４０、第１の硬貨収納カセット６８および第２の硬貨収納カセット７０に収納させるよう各収納カセットについて管理権限や媒体の種類を割り当てておくことにより、有価媒体処理装置１０の各カセットに収納された紙幣、硬貨、商品券等の有価媒体について、警送会社以外の店舗側の操作者でも有価媒体処理装置１０の機体内から例えば釣銭準備金として取り出すことができるようになり、このため操作者にとっての利便性を向上させることができる。
【００５５】
また、本実施の形態の有価媒体処理装置１０では、紙葉類集積部３２には概ね店舗側の管理権限が割り当てられる場合が多い。この場合には、店舗側の管理権限を有する操作者は、この操作者が携帯するＩＣカードを認証部８６のＩＣカードリーダ８３で読み取らせることにより、認証部８６において操作者の管理権限の認証が行われると、シャッタ３３が自動的に紙葉類集積部３２の前面開口を開き、操作者は紙葉類集積部３２に集積された紙葉類を有価媒体処理装置１０の筐体１２の外部に取り出すことができるようになる。紙葉類集積部３２に店舗側の管理権限が割り当てられている場合には、この紙葉類集積部３２に釣銭準備金としての紙幣を集積させることができるようになる。
【００５６】
このような構成からなる有価媒体処理装置１０による紙幣や硬貨、商品券等の有価媒体の処理方法、具体的には有価媒体の入金方法について以下に説明する。なお、以下に示すような有価媒体処理装置１０の動作は、制御部８０が有価媒体処理装置１０の各構成要素の制御を行うことにより行われるようになっている。
【００５７】
有価媒体処理装置１０の待機状態において、タッチパネル等からなる操作表示部８２には図４（ａ）に示すような待機画面が表示されている。具体的には、操作表示部８２には、操作者が携帯するＩＣカードを操作表示部８２の右側に配置されたＩＣカードリーダ８３により読み取らせることを操作者に指示するメッセージおよび画像が表示されている。また、このような操作表示部８２の待機画面において、現金および商品券のうちいずれの有価媒体を入金するかを選択するボタンが表示されている。さらに、図４（ａ）に示すような操作表示部８２の待機画面において、「番号を入力する」というボタンも表示されており、操作者がこのボタンを押下すると、操作表示部８２の表示画面が切り替わって手入力画面となり、操作者は操作表示部８２において有価媒体処理装置１０に入金される有価媒体の回収元の店の店番号やレジ釣銭機のレジ番号（レジＮｏ．）（図４（ｂ）参照）を手入力することができるようになる。また、操作者は操作表示部８２の手入力画面において店番号やレジ番号を手入力する際に、操作表示部８２において操作者ＩＤやパスワードも手入力することができるようになっていてもよい。
【００５８】
図４（ｂ）に示すような操作表示部８２の手入力画面において操作者が店番号やレジ番号等を手入力すると、操作表示部８２は図４（ｃ）に示すような確認画面に切り替わり、店番号や店の名前、ならびにレジ番号や当該レジ釣銭機が設置された売場名等の情報がポップアップ表示される。そして、このような確認画面において、操作者の承認操作を受け付けることを条件に、操作表示部８２は次画面へ進むようになる。より詳細には、図４（ｃ）に示すような操作表示部８２の確認画面において操作者が「ＯＫ」のボタンを押下することにより、操作表示部８２は次画面へ進む。
【００５９】
このように、図４（ｂ）に示すような操作表示部８２の手入力画面において操作者が回収元の店の店番号やレジ釣銭機のレジ番号等を手入力すると、手入力された店番号やレジ番号を含む様々な情報が操作表示部８２の確認画面に表示されることにより、操作者が店番号やレジ番号等を誤って手入力した場合でも、図４（ｃ）に示すような操作表示部８２の確認画面において操作者は入力された情報（入力された数値だけではなく、対応する店名や売場名等）を確認することができるため、入力ミスがあった場合には操作者は図４（ｃ）に示すような確認画面によりこのことに気づくことができ、店番号やレジ番号等の入力ミスを防止することができるようになる。
【００６０】
なお、図４（ａ）に示すような操作表示部８２の待機画面において操作者がＩＣカードをＩＣカードリーダ８３により読み取らせたときにも、操作表示部８２に図４（ｃ）に示すような確認画面がポップアップ表示されるようになっていてもよい。この場合には、ＩＣカードリーダ８３によりＩＣカードを読み取らせる際に誤ったＩＣカードを読み取らせてしまった場合でも操作者は図４（ｃ）に示すような確認画面によりこのことに気づくことができるようになる。
【００６１】
また、図４（ｂ）に示すような操作表示部８２の手入力画面において操作者が店番号やレジ番号を手入力する際に、当日に既に売上金の入金処理が行われている店の店番号やレジ釣銭機の番号が入力された場合には、操作表示部８２には、更に強い警告メッセージや確認メッセージが表示されるようになっていてもよい。
【００６２】
図４（ａ）に示すような操作表示部８２の待機画面において操作者がＩＣカードをＩＣカードリーダ８３により読み取らせたり、図４（ｂ）に示すような操作表示部８２の手入力画面において操作者が店番号、レジ番号、操作者ＩＤ、パスワード等を手入力したりすることにより、認証部８６が操作者の管理権限を認証する。そして、操作者の管理権限が適正なものである場合には、操作表示部８２には入金画面が表示される。その後、操作者は有価媒体処理装置１０の紙葉類投入部２２に紙幣や商品券を投入したり硬貨投入部５２に硬貨を投入したりすることにより有価媒体処理装置１０において有価媒体の入金処理が行われる。ここで、有価媒体処理装置１０の紙葉類処理機構２０により行われる有価媒体の入金処理の詳細について図５に示すフローチャートを用いて以下に詳述する。
【００６３】
操作表示部８２に入金画面が表示されているときに、操作者が紙葉類投入部２２に紙幣や商品券をセットし（ＳＴＥＰ１）、操作表示部８２により入金開始の指令を制御部８０に与えると、紙葉類投入部２２にセットされた紙幣や商品券が１枚ずつ紙葉類繰出部２３により筐体１２の内部に繰り出され、筐体１２内で紙幣や商品券が１枚ずつ紙葉類搬送部２４により搬送される（ＳＴＥＰ２）。そして、筐体１２内で紙葉類搬送部２４により搬送される紙幣や商品券は紙葉類識別部２６により識別され、この際に紙幣の記番号や商品券の券番号が取得される（ＳＴＥＰ３）。制御部８０は、取得された紙幣の記番号や商品券の券番号を、処理中取引の紙幣の記番号や商品券の券番号として記憶部８４に仮記憶させる。また、制御部８０は、取得された紙幣の記番号や商品券の券番号を、記憶部８４に記憶済の紙幣の記番号や商品券の券番号（具体的には、前の取引までに入金された紙幣の記番号や商品券の券番号、ならびに当該取引における１枚前までの記憶部８４に仮記憶された紙幣の記番号や商品券の券番号）と照合する（ＳＴＥＰ４）。
【００６４】
紙葉類識別部２６により正常な紙幣であると識別されたものや商品券のうち予め設定された所定の種類のものが紙葉類搬送部２４から第１の紙葉類一時保留部３４や第２の紙葉類一時保留部３６に送られてこれらの第１の紙葉類一時保留部３４や第２の紙葉類一時保留部３６に一時的に保留される（ＳＴＥＰ５）。また、紙葉類識別部２６により識別された紙幣が正常なものではなかったり、紙葉類識別部２６により識別された商品券が予め設定された所定の種類のものではなかったりした場合には、このような紙幣や商品券はリジェクト券としてリジェクト部３０や紙葉類集積部３２に送られる（ＳＴＥＰ５）。また、紙葉類識別部２６により取得された紙幣の記番号や商品券の券番号が、記憶部８４に記憶済の紙幣の記番号や商品券の券番号と一致する場合には、このような紙幣や商品券はリジェクト部３０に送られる（ＳＴＥＰ５）。
【００６５】
そして、紙葉類投入部２２にセットされた紙幣や商品券が全て筐体１２内に取り込まれ、第１の紙葉類一時保留部３４や第２の紙葉類一時保留部３６に送られた後（ＳＴＥＰ６の「ＹＥＳ」）、記憶部８４に記憶済の紙幣の記番号や商品券の券番号について重複する記番号や券番号がある場合には（ＳＴＥＰ７の「ＹＥＳ」）、操作表示部８２には警告表示がなされ、有価媒体処理装置１０において入金処理を完了させることができないようになる（ＳＴＥＰ８）。この場合には、操作者によって操作表示部８２により承認操作が行われると（ＳＴＥＰ９の「ＹＥＳ」）、第１の紙葉類一時保留部３４や第２の紙葉類一時保留部３６に一時的に保留された紙幣や商品券が筐体１２の外部に返却される（ＳＴＥＰ１０）。そして、第１の紙葉類一時保留部３４や第２の紙葉類一時保留部３６から紙幣や商品券等の返却券類が取り出されると（ＳＴＥＰ１１の「ＹＥＳ」）、有価媒体処理装置１０の動作が終了する。
【００６６】
また、紙葉類投入部２２にセットされた紙幣や商品券が全て筐体１２内に取り込まれ、第１の紙葉類一時保留部３４や第２の紙葉類一時保留部３６に送られた後（ＳＴＥＰ６の「ＹＥＳ」）、記憶部８４に記憶済の紙幣の記番号や商品券の券番号について重複する記番号や券番号が無い場合において（ＳＴＥＰ７の「ＮＯ」）、操作者が操作表示部８２により制御部８０に対して入金確定の指令を与えると（ＳＴＥＰ１２の「ＹＥＳ」）、第１の紙葉類一時保留部３４や第２の紙葉類一時保留部３６の底面が開放されてこれらの第１の紙葉類一時保留部３４や第２の紙葉類一時保留部３６に一時的に保留されている紙幣や商品券が第１の紙葉類収納カセット３８や第２の紙葉類収納カセット４０に収納される（ＳＴＥＰ１３）。また、この際に、制御部８０は、紙葉類識別部２６により取得された紙幣の記番号や商品券の券番号を記憶部８４に記憶させる（ＳＴＥＰ１４）。一方、操作者が操作表示部８２により制御部８０に対して入金確定の指令ではなく返却指令を与えると（ＳＴＥＰ１５の「ＹＥＳ」）、第１の紙葉類一時保留部３４や第２の紙葉類一時保留部３６に一時的に保留された紙幣や商品券が筐体１２の外部に返却される（ＳＴＥＰ１６）。そして、第１の紙葉類一時保留部３４や第２の紙葉類一時保留部３６から紙幣や商品券等の返却券類が取り出されると（ＳＴＥＰ１７の「ＹＥＳ」）、有価媒体処理装置１０の動作が終了する。
【００６７】
図６は、上述した紙幣や商品券の入金処理においてエラーが発生したときの対応方法を示すフローチャートである。紙幣や商品券の入金処理中に、筐体１２内でジャム（詰まり）等のトラブルが発生した場合には（ＳＴＥＰ２１の「ＹＥＳ」）、操作表示部８２には、エラーの内容（例えば、「装置内部で詰まりが発生しました」というメッセージ）やエラー解除動作の方法等のガイダンス画面が表示される（ＳＴＥＰ２３）。この場合には、操作者は、操作表示部８２に表示されたガイダンス画面に従って筐体１２内に残留した紙幣や商品券を取り出し、エラー解除動作を行う（ＳＴＥＰ２４）。そして、筐体１２内から取り出された紙幣や商品券を操作者は紙葉類投入部２２に再セットする（ＳＴＥＰ２５）。一方、筐体１２内でジャム（詰まり）等のトラブルが発生していない場合には（ＳＴＥＰ２１の「ＮＯ」）、有価媒体処理装置１０の紙葉類処理機構２０における紙幣や商品券の入金処理が完了する（ＳＴＥＰ２２）。
【００６８】
上述したように有価媒体処理装置１０の筐体１２内でジャム（詰まり）等のトラブルが発生した場合において（ＳＴＥＰ２１の「ＹＥＳ」）、操作者が上述したエラー解除動作を行い（ＳＴＥＰ２４）、筐体１２内から取り出された紙幣や商品券を紙葉類投入部２２に再セットした後（ＳＴＥＰ２５）、操作表示部８２により入金開始の指令を再び制御部８０に与えると、紙葉類投入部２２に再セットされた紙幣や商品券が１枚ずつ紙葉類繰出部２３により筐体１２の内部に繰り出され、筐体１２内で紙幣や商品券が１枚ずつ紙葉類搬送部２４により搬送される。そして、筐体１２内で紙葉類搬送部２４により搬送される紙幣や商品券は紙葉類識別部２６により識別され、この際に紙幣の記番号や商品券の券番号が取得される（ＳＴＥＰ２６）。
【００６９】
制御部８０は、取得された紙幣の記番号や商品券の券番号と、第１の紙葉類収納カセット３８や第２の紙葉類収納カセット４０に収納済の紙幣の記番号や商品券の券番号および第１の紙葉類一時保留部３４や第２の紙葉類一時保留部３６に一時的に保留されている紙幣の記番号や商品券の券番号との照合を行う（ＳＴＥＰ２７）。そして、両者が重複する場合には（ＳＴＥＰ２８の「ＹＥＳ」）、制御部８０はこのような紙幣や商品券をカウントせずに本来の集積場所（具体的には、第１の紙葉類一時保留部３４、第２の紙葉類一時保留部３６、第１の紙葉類収納カセット３８、第２の紙葉類収納カセット４０等）に集積させる（ＳＴＥＰ２９）。一方、両者が重複しない場合には（ＳＴＥＰ２８の「ＮＯ」）、制御部８０はこのような紙幣や商品券はカウントして対応する集積場所（具体的には、第１の紙葉類一時保留部３４、第２の紙葉類一時保留部３６、第１の紙葉類収納カセット３８、第２の紙葉類収納カセット４０等）に集積させる（ＳＴＥＰ３０）。そして、紙葉類投入部２２にセットされた紙幣や商品券が全て筐体１２内に取り込まれ、第１の紙葉類一時保留部３４や第２の紙葉類一時保留部３６に送られると（ＳＴＥＰ３１の「ＹＥＳ」）、有価媒体処理装置１０の紙葉類処理機構２０における紙幣や商品券の入金処理が完了する。
【００７０】
なお、上記説明では、紙葉類処理機構２０において紙幣や商品券の入金処理が行われる際に、エラー解除動作を行った後の紙葉類処理機構２０における動作について説明したが、硬貨処理機構５０において硬貨の入金処理が行われる際にも、エラー解除動作を行った後に同様の動作が行われるようになっていてもよい。
【００７１】
以上のような構成からなる本実施の形態の有価媒体処理装置１０および有価媒体処理方法によれば、エラー解除動作を行った後において、筐体１２内から取り出された有価媒体（具体的には、紙幣や商品券）が紙葉類投入部２２により機体内に再投入された際に、紙葉類識別部２６により取得された有価媒体の識別番号と、記憶部８４に記憶された有価媒体の識別番号との照合が行われるようになっている。このことにより、エラー解除動作時に筐体１２内から取り出された紙幣や商品券等の有価媒体が既に入金確定済のものであるにもかかわらず紙葉類投入部２２に再セットされてしまった場合には、制御部８０はこのことを検知することができるので、このような有価媒体はカウントせずに本来の集積場所（具体的には、第１の紙葉類一時保留部３４、第２の紙葉類一時保留部３６、第１の紙葉類収納カセット３８、第２の紙葉類収納カセット４０、紙葉類集積部３２等）に振り分けることによって、筐体１２内に再投入された有価媒体を二重に計数することを防止することができ、よって違算の発生を防止することができるようになる。
【００７２】
また、本実施の形態の有価媒体処理装置１０においては、前述したように、制御部８０は、紙葉類投入部２２により筐体１２内に投入され、紙葉類識別部２６により識別が行われた有価媒体について入金確定の指令が与えられたときに、紙葉類識別部２６により取得された有価媒体の識別番号（具体的には、紙幣の記番号や商品券の券番号）を記憶部８４に記憶させるようになっている。しかしながら、本実施の形態では、紙葉類識別部２６により取得された有価媒体の識別番号を記憶部８４に記憶させるタイミングは、入金確定の指令が与えられたときに限定されることはない。他の態様として、制御部８０は、紙葉類投入部２２により筐体１２内に投入された有価媒体が紙葉類識別部２６により識別される度に、紙葉類識別部２６により取得された当該有価媒体の識別番号を記憶部に記憶させるようになっていてもよい。
【００７３】
なお、本実施の形態による有価媒体処理装置１０や有価媒体処理方法は、上述したような態様に限定されることはなく、様々な変更を加えることができる。
【００７４】
例えば、制御部８０は、紙葉類識別部２６により取得された有価媒体の識別番号が、記憶部８４に記憶された有価媒体の識別番号に含まれる場合でも、有価媒体処理装置１０において入金処理を完了させることができるようになっていてもよい。具体的には、操作表示部８２にエラーメッセージが表示された後、紙葉類投入部２２により筐体１２内に再投入された有価媒体を各紙葉類収納カセット３８、４０に収納させる旨の指令を操作者が操作表示部８２により制御部８０に与えたときには、紙葉類投入部２２により筐体１２内に再投入された有価媒体が各紙葉類収納カセット３８、４０に収納されるようになっていてもよい。例えば、商品券が後述するような綴り券である場合には、複数の商品券に同一の券番号が付されているため、このような綴り券に係る商品券が紙葉類投入部２２により機体内に投入されて紙葉類識別部２６により識別が行われた際に、紙葉類識別部２６により取得された商品券の券番号が、記憶部８４に記憶された商品券の券番号に含まれる場合でも、この商品券が入金確定済のものではない可能性があり、このときには当該商品券を各紙葉類収納カセット３８、４０に収納させる必要があるからである。このような場合に備えて、紙葉類識別部２６により取得された有価媒体の識別番号が、記憶部８４に記憶された有価媒体の識別番号に含まれる場合において、紙葉類識別部２６により識別された有価媒体が第１の紙葉類一時保留部３４や第２の紙葉類一時保留部３６に送られた後、操作者が入金確定の指令を操作表示部８２により制御部８０に与えることによって、第１の紙葉類一時保留部３４や第２の紙葉類一時保留部３６から第１の紙葉類収納カセット３８や第２の紙葉類収納カセット４０に有価媒体が送られるようになっていてもよい。
【００７５】
また、エラー解除動作を行った後において、筐体１２内から取り出された有価媒体が紙葉類投入部２２により筐体１２内に再投入されて紙葉類識別部２６により識別されたときに、紙葉類識別部２６により取得された有価媒体の識別番号が、記憶部８４に記憶された有価媒体の識別番号に含まれる場合には、この有価媒体がリジェクト券としてリジェクト部３０に送られるようになっていてもよい。
【００７６】
また、本実施の形態では、同一の券番号が複数の商品券に付された綴り券に関する情報を記憶部８４に予め記憶させておくことができる。このときには、紙葉類投入部２２により筐体１２内に投入された商品券が紙葉類識別部２６により識別された場合に、制御部８０は、記憶部８４に記憶された綴り券に関する情報に基づいて、識別された商品券が綴り券であると判定したときには、紙葉類識別部２６により取得された商品券の券番号と、記憶部８４に記憶された商品券の券番号との照合を行わない。同一の券番号が複数の商品券に付された綴り券については、紙葉類識別部２６により取得された商品券の券番号が、記憶部８４に記憶された商品券の券番号に含まれる場合でも、複数の商品券に同一の券番号が付されているため、この商品券が入金確定済のものではない可能性があり、紙葉類投入部２２により筐体１２内に投入されて紙葉類識別部２６により識別が行われた商品券が、記憶部８４に記憶されている同じ券番号の商品券と同一のものであるか否かを判定することができないからである。
【００７７】
また、本実施の形態では、同一の券番号が複数の商品券に付された綴り券に関する情報が記憶部８４に予め記憶される場合には、綴り券における商品券の枚数に関する情報も記憶部８４に予め記憶させておくことができる。このときには、紙葉類投入部２２により筐体１２内に投入された商品券が紙葉類識別部２６により識別された場合に、制御部８０は、記憶部８４に記憶された綴り券に関する情報に基づいて、識別された商品券が綴り券であると判定された場合でも、記憶部８４に記憶された商品券の枚数を超える枚数の商品券が筐体１２内に投入されたときには、操作表示部８２にエラーメッセージを表示させて操作者に対して報知する。例えば、綴り券において同一の券番号が１０枚の商品券に付されているという情報が記憶部８４に記憶されているときに、紙葉類識別部２６により同一の券番号の１１枚目以降の商品券が識別されたときには、この綴り券における少なくとも１枚または複数の商品券は偽造されたものである可能性が高いため、操作表示部８２にエラーメッセージを表示させて操作者に対して報知する。このように、商品券が綴り券であっても、記憶部８４に記憶された所定枚数を超える商品券が筐体１２内に投入されたときには、このような商品券は各紙葉類収納カセット３８、４０に収納させるのに不適切なものであるため、入金処理を中断して操作者に報知する必要がある。
【００７８】
また、本実施の形態では、有価媒体処理装置１０の紙葉類処理機構２０において図６のフローチャートに示すような有価媒体の入金処理が行われる代わりに、以下に記載するような有価媒体の入金処理が行われるようになっていてもよい。具体的には、エラー解除動作を行った後において、制御部８０は、紙葉類識別部２６により取得された有価媒体の識別番号が、記憶部８４に記憶された有価媒体の識別番号に含まれる場合に、当該有価媒体を紙葉類識別部２６により計数することなく各紙葉類収納カセット３８、４０に収納させ、また、紙葉類識別部２６により取得された有価媒体の識別番号が、記憶部８４に記憶された有価媒体の識別番号に含まれない場合に、当該有価媒体を紙葉類識別部２６により計数した後に各紙葉類収納カセット３８、４０に収納させるようになっていてもよい。
【００７９】
すなわち、エラー解除動作を行った後において、紙葉類識別部２６により取得された有価媒体の識別番号が、記憶部８４に記憶された有価媒体の識別番号に含まれる場合には、エラー解除動作時に筐体１２内から取り出された有価媒体が既に入金確定済のものであるにもかかわらず紙葉類投入部２２に再セットされてしまっているため、このような有価媒体を紙葉類識別部２６により計数することなく各紙葉類収納カセット３８、４０に収納させることにより、筐体１２内に再投入された有価媒体を二重に計数することを防止する必要がある。一方、エラー解除動作を行った後において、紙葉類識別部２６により取得された有価媒体の識別番号が、記憶部８４に記憶された有価媒体の識別番号に含まれていない場合には、エラー解除動作時に筐体１２内から取り出された有価媒体は、入金確定済のものではなく、有価媒体処理装置１０において未だ計数されていないものであると考えられる。このため、このような場合には、当該有価媒体を紙葉類識別部２６により計数した後に各紙葉類収納カセット３８、４０に収納させることにより、このような有価媒体について確実に計数することができるようになり、違算の発生を防止することができるようになる。
【００８０】
また、有価媒体処理装置１０の紙葉類処理機構２０により処理される有価媒体として、紙幣や商品券の代わりに、あるいは紙幣や商品券に加えて、小切手が紙葉類処理機構２０により処理されるようになっていてもよい。この場合には、紙葉類投入部２２により筐体１２内に投入され、紙葉類識別部２６に送られた小切手はイメージセンサ２７によりその表面が撮像されて画像データが取得される。そして、紙葉類識別部２６は、イメージセンサ２７により取得された小切手の画像データに基づいて、当該小切手の番号を取得する。そして、制御部８０は、紙葉類識別部２６により取得された小切手の番号を記憶部８４に記憶させるようになる。また、エラー解除動作後に紙葉類投入部２２により小切手が筐体１２内に再投入され、この再投入された小切手が紙葉類識別部２６により識別されたときに、制御部８０は、紙葉類識別部２６により取得された小切手の番号と、記憶部８４に記憶された小切手の番号との照合を行う。そして、制御部８０は、紙葉類識別部２６により取得された小切手の番号が、記憶部８４に記憶された小切手の番号に含まれる場合には、操作表示部８２にエラーメッセージを表示させることにより操作者に対して報知する。
【００８１】
また、本実施の形態では、紙葉類識別部２６により取得された有価媒体の識別番号と、記憶部８４に記憶された有価媒体の識別番号との照合が行われる対象は、エラー解除動作後に紙葉類投入部２２により筐体１２内に再投入された有価媒体に限定されることはない。それ以外の種類の有価媒体であっても、紙葉類識別部２６により取得された有価媒体の識別番号と、記憶部８４に記憶された有価媒体の識別番号との照合が行われるようになっていてもよい。
【００８２】
また、有価媒体処理装置１０の紙葉類処理機構２０における紙葉類集積部３２の数は１つに限定されることはない。紙葉類処理機構２０に２つ以上の紙葉類集積部３２が設けられ、各紙葉類集積部３２に対応してシャッタ３３が設けられるようになっていてもよい。このような構成にすれば、釣銭準備金（紙幣）をレジ釣銭機毎に分けて取り出すことが可能となる。また、紙葉類処理機構２０に設置される紙葉類収納カセット３８、４０や硬貨処理機構５０に設置される硬貨収納カセット６８、７０の数はそれぞれ２つに限定されることはない。紙葉類収納カセットや硬貨収納カセットの設置台数を３つ以上としてもよい。この場合、各紙葉類収納カセットに対応する紙葉類一時保留部の数や、各硬貨収納カセットに対応する硬貨一時保留部の数を増やしてもよい。このように、有価媒体収納部を構成する紙葉類集積部や紙葉類収納カセット、硬貨収納カセットの数を増やすことにより、各有価媒体収納部への有価媒体の収納パターンを増やすことができ、有価媒体処理装置１０における様々な運用形態に対応することができるようになる。
【００８３】
また、本実施の形態の有価媒体処理装置１０では、硬貨処理機構５０における硬貨一時保留部や硬貨収納カセット、硬貨返却箱を金種毎に複数の領域に区分けしてもよい。例えば、硬貨一時保留部や硬貨収納カセット、硬貨返却箱をそれぞれ、１円硬貨、５円硬貨、１０円硬貨、５０円硬貨、１００円硬貨、５００円硬貨の各々が収納される６つの領域に区分けしてもよい。更には、１円硬貨や５円硬貨が使用されない営業形態においては、流通量が多い１０円硬貨および１００円硬貨にそれぞれ２つの領域を割り当て、５０円硬貨および５００円硬貨にそれぞれ１つの領域を割り当てるようにしてもよい。
【００８４】
また、本実施の形態の有価媒体処理装置１０では、紙葉類処理機構２０の紙葉類搬送部２４において紙葉類が搬送される搬送路の上下両側にそれぞれ消し込み部２８を設置してもよい。この場合には、この搬送路に沿って搬送される商品券について、おもて面が上側であっても裏面が上側であっても、搬送される商品券のおもて面側にある消し込み部２８によって当該商品券のおもて面に対して「済」印等の所定の内容を印字することができるようになる。
【００８５】
また、上述した有価媒体処理装置１０は、紙幣、硬貨、商品券の入金処理を行う入金機として用いられる態様として説明したが、本発明はこのような態様に限定されることはない。本発明による有価媒体処理装置は、入金処理のみならず出金処理も行うことができる入出金機として用いられるものであってもよい。この場合には、有価媒体処理装置の紙葉類処理機構や硬貨処理機構には、それぞれ紙幣リサイクル部や硬貨リサイクル部が設置されるようになり、これらの紙幣リサイクル部や硬貨リサイクル部により、釣銭準備金としての紙幣や硬貨が有価媒体処理装置の機体外に投出されるようになる。また、このような有価媒体処理装置では、貨幣の両替処理も行うことができるようになっていてもよい。
【００８６】
本発明による有価媒体処理装置が入出金機として用いられる場合には、当該有価媒体処理装置の各紙葉類収納カセットに収納された紙幣が再利用されて釣銭として機体外に投出される場合もあるので、紙葉類識別部により取得された有価媒体の識別番号と、記憶部に記憶された有価媒体の識別番号との照合を行う期間を、例えば一取引の間に限定することができるようになっていてもよい。
【００８７】
また、本実施の形態の有価媒体処理装置１０は、紙幣や商品券等の紙葉類の処理を行う紙葉類処理機構２０および硬貨の処理を行う硬貨処理機構５０を有するものとして説明したが、硬貨処理機構５０の設置が省略され、有価媒体処理装置１０が紙幣や商品券等の紙葉類のみの処理を行うようになっていてもよい。また、本実施の形態による有価媒体処理装置１０が、紙幣のみの入金処理を行う紙幣入金装置や、商品券のみの入金処理を行う商品券入金装置として用いられるようになっていてもよい。この場合、本実施の形態による有価媒体処理装置１０がバックヤード領域ではなくフロント領域の精算所等に設置されてもよい。
【００８８】
また、本実施の形態の有価媒体処理装置１０により有価媒体の入金処理が行われる際に、操作表示部８２の入金画面において、店番号やレジ釣銭機のレジ番号に関連付けられた背景色やキャラクタ等が表示されるようになっていてもよい。店の売り場やテナント、あるいはレジ釣銭機によって入金画面の背景色やキャラクタを決めておくことにより、有価媒体処理装置１０において店番号やレジ番号の誤りがあるときには操作者はこのことにすぐに気づくことができるようになる。
【００８９】
また、本実施の形態の有価媒体処理装置１０では、操作表示部８２に入金画面において「入金完了」のボタンが押下されたときに、操作表示部８２の画面が切り替わり、店番号や店の名前、ならびに有価媒体の回収元のレジ釣銭機のレジ番号や当該レジ釣銭機が設置された売場名等の情報がポップアップ表示されるようになっていてもよい。そして、このような確認画面において、操作者の承認操作を受け付けることを条件に、有価媒体処理装置１０における入金処理が完了するようになっていてもよい。
【００９０】
この場合には、操作表示部８２に入金画面において「入金完了」のボタンが押下されたときに、入金処理の開始時に操作者によって手入力された店番号やレジ番号等を含む様々な情報が操作表示部８２に表示されることにより、操作者が店番号やレジ番号等を誤って手入力した場合でも、この手入力された情報を入金処理の完了前に操作者は確認できるため、入力ミスがあった場合には操作者はこのことに気づくことができ、店番号やレジ番号等の入力ミスを防止することができるようになる。
【００９１】
また、本実施の形態による有価媒体処理装置１０を備えたシステムにおいて、取扱対象とする有価媒体（具体的には、例えば商品券）に関する情報である辞書データが一元管理されるようになっていてもよい。このようなシステムを図７に示す。図７に示すシステムでは、店舗のバックヤード領域１の入金室２に１または複数の有価媒体処理装置１０が配設されているとともに、このバックヤード領域１の出納室４に管理ターミナル２００が配設されており、また、これらの有価媒体処理装置１０や管理ターミナル２００と通信可能に店舗サーバ１００が配設されている。ここで、店舗サーバ１００は、店舗とは別の場所にある本部に設けられていてもよく、あるいは店舗内に設けられていてもよい。
【００９２】
そして、このようなシステムでは、取扱対象とする商品券等に関する情報である辞書データが店舗サーバ１００により一元管理されるようになっており、管理ターミナル２００は店舗サーバ１００から辞書データをオンラインで取得して、この取得した辞書データを管理ターミナル２００は各有価媒体処理装置１０にオンラインで配信するようになっている。ここで、取り扱うべき新しい商品券が発生したり、ある商品券の取引が取り止められたり発行元が倒産したりすることにより、取扱対象とする商品券等に関する情報が変更された場合には、店舗サーバ１００において辞書データが書き換えられる。また、管理ターミナル２００は店舗サーバ１００に対して辞書データの問い合わせをオンラインで常に行うようになっており、店舗サーバ１００において辞書データが書き換えられると、管理ターミナル２００はすぐに店舗サーバ１００に対して辞書データを送信することを要求し、このことにより店舗サーバ１００から管理ターミナル２００に最新の辞書データがすぐに送られるようになる。
【００９３】
従来技術では、取扱対象とする商品券等に関する情報である辞書データは各店舗において管理されており、顧客が多くの店舗を有している場合には、辞書データを更新する必要が生じたときには、本部から各店舗に対して辞書データが記録されたＣＤ−Ｒ等の記録メディアが送付されていた。具体的には、まず、辞書データが記録されたＣＤ−Ｒ等の記録メディアが、商品券の管理会社等から顧客の本部に送付され、顧客の本部において、傘下の店舗に送られるべきＣＤ−Ｒ等の記録メディアが作成される。そして、このＣＤ−Ｒ等の記録メディアが顧客の本部から各店舗に送られると、店舗の担当者が管理ターミナル２００に辞書データを取り込み、この管理ターミナル２００のソフトを用いて子機である有価媒体処理装置１０に辞書データを配信するようになっていた。しかしながら、このような従来技術の方法では、傘下の店舗が多いほど余計な時間（タイムラグ）や手間がかかってしまうという問題があった。これに対し、図７に示すようなシステムでは、管理ターミナル２００は店舗サーバ１００から辞書データをオンラインで取得して、この取得した辞書データを管理ターミナル２００は各有価媒体処理装置１０にオンラインで配信するようになっているため、辞書データが記録されたＣＤ−Ｒ等の記録メディアの費用が不要となり、また、このような記録メディアを作成する手間や発送する手間が省けるようになる。また、顧客の本部だけで店舗サーバ１００により辞書データを管理することができ、辞書データの管理が容易になる。
【００９４】
なお、図７に示すようなシステムの変形例としては、複数の有価媒体処理装置１０のうち１つの有価媒体処理装置１０が親機となり、この親機となる有価媒体処理装置１０で辞書データを管理するようになっていてもよい。また、各有価媒体処理装置１０において新しい商品券が登録される等により取扱対象とする商品券等に関する情報が変更された場合には、この情報が店舗サーバ１００や他の有価媒体処理装置１０に送信され、有価媒体処理装置１０から送信された情報に基づいて店舗サーバ１００等で辞書データの書き換えが行われるようになっていてもよい。具体的には、有価媒体処理装置１０で読み取った商品券のイメージデータが、辞書データとして他の有価媒体処理装置１０や店舗サーバ１００に送信されるようになっていてもよい。このことにより、商品券の地域券や新種の偽造券に即座に対応することができるようになる。
【００９５】
また、本実施の形態による有価媒体処理装置１０を備えたシステムにおいて、店舗に配置された様々な機器が互いに通信可能に接続されてＷｅｂ化されるようになっていてもよい。このようなシステムを図８に示す。図８に示すシステムでは、店舗のバックヤード領域１にストアコンピュータ３００、ユーザコンピュータ３１０、ユーザプリンタ３２０、有価媒体処理装置１０、両替機４００、現金バス５００、金庫６００がそれぞれ配設されている。また、店舗のフロント領域５におけるサービスカウンターに商品券払出機８００が配設されているとともにレジカウンターにレジ釣銭機９００が配設されている。そして、このようなバックヤード領域１およびフロント領域５に設けられた各機器は互いに通信可能に接続されてＷｅｂ化されている。このことにより、有価媒体処理装置１０や両替機４００における貨幣や商品券の収納データ等をＷｅｂサーバによりユーザコンピュータ３１０で集計したり監視したりすることができるようになる。このため、店員が有価媒体処理装置１０や両替機４００の実機の場所に行かなくてもこれらの有価媒体処理装置１０や両替機４００の状態を確認することができるようになる。また、有価媒体処理装置１０や両替機４００における貨幣や商品券の収納データ等をユーザプリンタ３２０により印字することもできる。また、ユーザコンピュータ３１０により有価媒体処理装置１０や両替機４００に指令信号を送ることにより、これらの有価媒体処理装置１０や両替機４００の遠隔操作を行うことができるようになる。また、フロント領域５に設置された商品券払出機８００やレジ釣銭機９００のデータをユーザコンピュータ３１０で確認することができ、バックヤード領域１とフロント領域５の間の現金の移動を可視化することができる。また、現金バス５００や金庫６００をユーザコンピュータ３１０等と通信可能に接続することにより、ユーザコンピュータ３１０等によって現金バス５００や金庫６００内の現金の管理を行うことができるようになる。
【００９６】
従来のシステムでは、サーバ機や現金処理機の一つを親機として店舗に設置された各機器の管理を行っていたが、サーバ機は稼働率が低いわりに導入コストが高額であり、またセットアップに専門知識が必要であるという問題があった。また、現金処理機を親機として使用した場合には、この現金処理機により現金を処理している間は当該現金処理機により他の機器の管理を行うことができないという問題があった。また、従来技術では、レジ釣銭機が他の機器と通信可能に接続されていないためレジ釣銭機を他の機器と連携させることができないという問題があった。これに対して、図８に示すようなシステムでは、バックヤード領域１およびフロント領域５に設けられた各機器を互いに通信可能に接続してＷｅｂ化することにより、フロント領域５における現金の出入りやバックヤード領域１における現金の出入りを一括して管理することができるようになる。また、ユーザコンピュータ３１０やユーザプリンタ３２０を用いることにより、専用のサーバ機を購入する必要がないため、投資コストを低減することができる。また、ユーザコンピュータ３１０等により各機器の遠隔管理が可能となるため、各機器のそばに専任者を配置する必要がなくなるというメリットがある。
【符号の説明】
【００９７】
１  バックヤード領域
２  入金室
４  出納室
５  フロント領域
１０  有価媒体処理装置
１２  筐体
１４  下部扉
１６  一時保留部用扉
２０  紙葉類処理機構
２２  紙葉類投入部
２３  紙葉類繰出部
２４  紙葉類搬送部
２６  紙葉類識別部
２７  イメージセンサ
２８  消し込み部
３０  リジェクト部
３２  紙葉類集積部
３３  シャッタ
３４  第１の紙葉類一時保留部
３６  第２の紙葉類一時保留部
３８  第１の紙葉類収納カセット
４０  第２の紙葉類収納カセット
５０  硬貨処理機構
５２  硬貨投入部
５４  硬貨搬送部
５６  硬貨識別部
５８  硬貨リジェクトシュート
６０  硬貨リジェクト部
６１  第１の硬貨搬送シュート
６２  第１の硬貨一時保留部
６３  第２の硬貨搬送シュート
６４  第２の硬貨一時保留部
６６  硬貨返却箱
６８  第１の硬貨収納カセット
７０  第２の硬貨収納カセット
７５  規制部
８０  制御部
８２  操作表示部
８３  ＩＣカードリーダ
８４  記憶部
８６  認証部
８８  プリンタ
９０  通信部
１００  店舗サーバ
２００  管理ターミナル
３００  ストアコンピュータ
３１０  ユーザコンピュータ
３２０  ユーザプリンタ
４００  両替機
５００  現金バス
６００  金庫
８００  商品券払出機
９００  レジ釣銭機
【図１】
2015153335.tif 000003
【図２】
2015153335.tif 000004
【図３】
2015153335.tif 000005
【図４】
2015153335.tif 000006
【図５】
2015153335.tif 000007
【図６】
2015153335.tif 000008
【図７】
2015153335.tif 000009
【図８】
2015153335.tif 000010